(57)【要約】      （修正有）【課題】長い期間パソコン業務に携わる人に、今までと同じようなパソコン操作の業務を行なっていながら、肩肘に掛かる負担を少しでも軽減できる、マウスパッドを提供する。【解決手段】マウスパッド１０の上部と下部に脚１１を備える。キーボード２１の１０キー上面付近にマウスパッド１０を配置することで、肩肘の往復移動及び捻り範囲を最小限にすることで、長い期間パソコン業務に携わる人の、肩肘に掛かる負担を軽減できる。【選択図】図２
0003185801.tif 000002
【実用新案登録請求の範囲】
【請求項１】
キーボードの１０キー上面付近にマウスパッドを配置できるようにマウスパッドの上部と下部に脚を備えた事を特徴とするマウスパッド。
【請求項２】
上記記載の脚は、回転支持部を備えた脚で、脚を回転することで、マウスパッド裏面部に収納可能な事を特徴とする請求項１に記載のマウスパッド。
【請求項３】
上記記載の脚は、脚の内部に下部に薄肉のヒンジ形状継手部及び係止を有した回転可能な板部を１個以上備え、板部を回転して板部の係止と脚部の係部と勘合できる事で脚を高くする事を特徴とする請求項１又は請求項２に記載のマウスパッド。
【請求項４】
マウスパッドの表面下部に突起形状を備えることで、マウスの落下を防止できる事を特徴とする請求項１、請求項２又は請求項３に記載のマウスパッド。
【請求項５】
マウスパッドの表面に、スポンジ又はゴム等のクッション性及び滑りにくいシートを貼り付けることで、マウスの滑り等の操作性を向上できる事を特徴とする請求項１、請求項２、請求項３又は請求項４に記載のマウスパッド。
【考案の詳細な説明】
【技術分野】
【０００１】
本考案は、マウスパッドに関するものである。
【背景技術】
【０００２】
現在  パソコン業務に携わっている人は、ほとんど一日中パソコンを使用しており、キーボードとマウスとの往復動作は、非常に多く発生致します。その時の肩肘の移動及び捻りにおける負担は、長くパソコン業務に携わるほど大きくなっている。
【０００３】
従来、マウスパッドは、キーボードの周辺にしか配置できない為、どうしてもキーボードとマウス間の距離が遠くなっている。
【０００４】
キーボード上部に配置するマウスパッドとしては、実用新案登録番号第３０５３３１８号に記載された「マウステーブル」は存在している。しかしながら、これはテーブルの右端前角部に配置され、動かすことができません。よって、作業する場所が決められている為、従来の作業位置及び姿勢を変えなければならない。又使用しない時もある為、邪魔になっている。さらに、新規にテーブルを購入しなければいけません。
【０００５】
コンピューター操作の際に、テンキー付キーボードとマウスパッドが机平面上にほぼ水平に、しばしば左右方向へ長く配置される事によって作業者が不自然な姿勢を強いられ、肩や腕の疲労の原因となっている。この配置的な問題を解決し、快適なコンピューター作業を実現しようと提案している。
【先行技術文献】
【特許文献】
【０００６】
【特許文献１】実用新案第３０５３３１８号
【考案の概要】
【考案が解決しようとする課題】
【０００７】
本考案は、長い期間パソコン業務に携わる人に、今までと同じようなパソコン操作の業務を行なっていながら、肩肘に掛かる負担を少しでも軽減できるような、マウスパッドを提供することにある。
【課題を解決するための手段】
【０００８】
本考案のマウスパッドは、マウスパッドの上部と下部に脚を備えて、キーボードの１０キー上面付近にマウスパッドを配置することで、肩肘の往復移動及び捻り範囲を最小限にすることで、長い期間パソコン業務に携わる人の、肩肘に掛かる負担を軽減できることを特徴とする。
【０００９】
上記記載のマウスパッドの脚を収納することで、従来のマウスパッド同様に卓上に平坦に配置することもできる。
【考案の効果】
【００１０】
本考案のマウスパッドは、キーボードの１０キー上部にマウスパッドを配置することで、肩肘の移動及び捻り範囲を最小限にすることが出来て、長い期間パソコン業務に携わる方の、肩肘に掛かる負担を軽減できる。
【００１１】
上記記載のように、マウスパッドをキーボードの１０キー上部に配置することで、卓上のスペースが広がり有効利用できる。
【図面の簡単な説明】
【００１２】
【図１】マウスパッドの上部と下部に脚を配置した状態の斜視図である。
【図２】本実施例に、キーボードの１０キー上部付近にマウスパッドを配置した状態の斜視図である。
【図３】脚を分離して支点を設けて回転可能にした裏面から見た斜視図である。
【図４】脚をマウスパッド裏面に収納した裏面から見た斜視図である。
【図５】脚の板部を形成している断面図である。
【図６】脚の板部が収納した状態の斜視図である。
【図７】脚の板部が回転勘合した状態の斜視図である。
【図８】マウスパッドにマウスを乗せた斜視図である。
【図９】マウスパッドにスポンジシートを貼り付ける状態の斜視図である。
【考案を実施するための形態】
【００１３】
本考案において、マウスパッドの上部と下部に脚を備えて、キーボード上部付近に配値できることが必要である。
【実施例】
【００１４】
本考案の実施例を、図を参照しながら説明する。
【００１５】
図１は、マウスパッドの上部と下部に脚を配置した状態の斜視図である。マウスパッド１０の上部と下部に配置された脚１１で、マウスパッド１０を空間に浮かせた状態を表している。
【００１６】
図２は、本実施例に、キーボードの１０キー上部付近にマウスパッドを配置した状態の斜視図である。キーボード２１の１０キー上部付近に、脚１１を設けたマウスパッド１０を配置した状態である。
【００１７】
図３は、脚を分離して支点を設けて回転可能にした裏面から見た斜視図である。脚１１をマウスパッド１０本体から分離して、脚１１の上部に突起の支点部１２とマウスパッドの孔の支点部１２により、脚１１が回転できるように取り付けた状態である。
【００１８】
図４は、脚１１をマウスパッド１０裏面に収納した裏面から見た斜視図である。脚１１をマウスパッド１０の裏面に収納して、マウスパッド１０だけの平面形状にすることで、従来のマウスパッド同様に卓上に平坦に配置することもできる状態である。
【００１９】
図５は、脚の板部を形成している断面図である。脚１１の内部に薄肉のヒンジ継手部１５により板部１３が形成されて、板部１３内には、係止１６も形成されている。
【００２０】
脚１１の下部には、板部内の係止１６と勘合する係止部１４が形成された断面である。
【００２１】
図６は、脚の板部が収納した状態の斜視図である。脚１１に板部１３が収納した状態である。
【００２２】
図７は、脚の板部が回転勘合した状態の斜視図である。脚１１内にある板部１３が、薄肉のヒンジ継手部１５により、回転して板部１３内の係止１６と係止部１４が勘合した状態である。
【００２３】
これにより、脚１１の高さが高くなり、各種キーボード形状の高さの違いに対応した状態である。
【００２４】
図８は、マウスパッドにマウスを乗せた斜視図である。マウスパッド１０の表面下部に、突起部１７を設けることで、マウス２２が滑り落ちないようにした状態である。
【００２５】
図９は、マウスパッドにスポンジシートを貼り付ける状態の斜視図である。マウスパッド１０の表面に、スポンジシート１８等のクッション性及び滑りにくいシートを貼り付ける状態である。
【００２６】
スポンジシート１８は、マウスの滑り等の操作性を向上するもので、スポンジだけでなく、ゴム、不織布又は発砲ウレタン等材質にはこだわらない。
【産業上の利用可能性】
【００２７】
家庭、会社にて家族及び社員の健康は、非常に重要項目であり、パソコン業務主体の人が、肩肘の負傷により業務に支障をきたす事は、家庭、会社にて大きな問題を抱える可能性がある。その為、少しでも、肩肘の負担を軽減できる製品を提供する。
【符号の説明】
【００２８】
１０  マウスパッド
１１  脚部
１２  支点部
１３  板部
１４  係止部
１５  継手部
１６  係止
１７  突起部
１８  スポンジシート
２１  キーボード
２２  マウス
【図２】
0003185801.tif 000003
【図４】
0003185801.tif 000004
【図５】
0003185801.tif 000005
【図６】
0003185801.tif 000006
【図７】
0003185801.tif 000007
【図８】
0003185801.tif 000008
【図９】
0003185801.tif 000009
【図１】
0003185801.tif 000010
【図３】
0003185801.tif 000011